(57)【要約】      （修正有）【課題】衣服のボタンにおいて、ボタン本体に衣服の色彩に合わせてボタン本体を交換することなく楽しみながらカラーカバーを選択してワンタッチで被覆交換することを可能にし、しかもボタン本体を外力から守り保護するカラーカバー付きボタンを有する衣服を提供する。【解決手段】カラーカバー付きボタン３００を有する衣服１００であって、前記カラーカバーは壺型に形成されるとともに下端の絞り部の開口部の拡縮動作が可能であり、前記ボタンの本体に前記カラーカバーが交換可能に被覆されていることを特徴とする。【選択図】図１
0003233825.tif 000002
【実用新案登録請求の範囲】
【請求項１】
衣服のボタンにおいて、ボタン本体にカラーカバーを交換可能に被覆したことを特徴とする衣服。
【考案の詳細な説明】
【技術分野】
【０００１】  本考案は、ボタン本体にカラーカバーを被覆した衣服に関する。
【背景技術】
【０００２】  一般に、ボタン（ポルトガル語：ｂｏｔ▲ａ▼ｏ、英語：ｂｕｔｔｏｎ、釦、鈕）とは、衣服、鞄、靴などに止め具として使用される服飾物。縫製副資材の一種である。語源はポルトガル語ｂｏｔ▲ａ▼ｏが最も有力な説とされる。多くは実用性と装飾を兼ねるが、もっぱら装飾目的の「飾りボタン」が多い。
ボタンの素材には天然素材、半合成樹脂、合成樹脂、金属素材、その他の素材（ガラス製、陶製、編組など）が使われる。
ボタンの基本型には丸型、角型、角丸型、山高型、天丸型、皿型、たらい型、平型、お椀型、変型などがある。
衣服のボタンは、一般に衣服本体の模様や配色に合わせたデザインと色に統一されている。変色・色落ち。【０００３】  しかし、ボタンは破損しなくてもそのボタンの柄や配色には色褪せや傷がついたりする場合がある。そのメンテナンスには一部のみを変えるにはバランスが悪く不十分な結果となる。このため止む無く全部のボタンを新品のボタンに変換することに成り甚だ不本意であり且つ不経済である。
【考案の概要】
【考案が解決しようとする課題】
【０００４】  本考案は、衣服のボタンにおいて、ボタン本体に衣服の色彩に合わせてボタン本体を交換することなく楽しみながらカラーカバーを選択してワンタッチで被覆交換することを可能にし、しかもボタン本体を外力から守り保護するカラーカバー付きボタンを有する衣服を提供する。
【課題を解決するための手段】
【０００５】  上記課題を満足させる本考案における主な技術構成は、次の（１）の通りである。
（１）、衣服のボタンにおいて、ボタン本体にカラーカバーを交換可能に被覆したことを特徴とする衣服。
【考案の効果】
【０００６】  本考案のカラーカバー付きボタンを有する衣服は、衣服のボタン本体を交換することなくボタン本体に衣服の色彩に合わせてコーディネートし楽しみながらカラーカバーを選択してそれをワンタッチで被覆交換することを可能にし、しかもボタン本体を外力から守り保護する優れた作用効果を呈するものである。またカラーカバーは、ブラウス等の衣服の１００のボタン本体の形に合わせて成形し、且つ衣服の色彩に合わせて、単色配色で、或いはグラディーション配色で、各種単色の配列で被覆して衣服の装飾に大きな役割を果たす優れた作用効果を呈する。
【図面の簡単な説明】
【０００７】
【図１】本考案のカラーカバー付きボタンを有する衣服としてのブラウスの実施例を示す正面説明図である。
【図２】図１に示すカラーカバー付きボタン１００の矢視Ａ−Ａからの縦断面説明図である。
【図３】カラーカバーの各種類を示すもので（１）のカラーカバー２００−１は、下部周囲縁にゴム紐２０１を設けた布製又は革製カバーを示し、（１）のカラーカバー２００−２は、下部周囲にＶ型の切り欠け２０２を形成した金属製又は、プラスチック等の合成樹脂製カバーを示し、（３）のカラーカバー２００−３は、壺型に成形して下端の絞り部の開口部の拡縮動作を可能にしたゴム製カバーを示す。
【考案を実施するための形態】
【０００８】  本考案を実施するための形態を図１〜図３に示す実施例により詳細に説明する。
図１及び図２において、本例のカラーカバー付きボタンを有する衣服は、例として男性用のブラウス１００を対象にした。
ブラウス１００は、前立て１０１にカラーカバー２００を被覆したボタン３００を配置してある。
前記カラーカバー２００は、図２の縦断面図に示すようにボタン本体３０１を被覆してある。
前記カラーカバー２００は、布製、革製、金属製、プラスチック等の合成樹脂製等で形成されている。図中３０２は前立て１０１の裏地に配置のボタン止め盤である。
【０００９】  そこで前記カラーカバー２００は、図３の（１）〜（３）に示すようにボタン本体３０１に取り付け外し自在に成形されている。
図３の（１）のカラーカバー２００−１は、布製又は革製で下部周囲縁にゴム紐２０１を埋設して上湾曲面のボタン本体３０１−１に上からスッポリと巾着被せを可能にしたものである。
【００１０】  図３の（２）のカラーカバー２００−２は金属製又は、プラスチック等の合成樹脂製であり、下部周囲にＶ型の切り欠け２０２を形成して下端の開口部の拡張動作を可能にして上球面のボタン本体３０１−２に上から軽く押し付けて嵌めることを可能にしたものである。
【００１１】  図３の（３）のカラーカバー２００−３は、壺型に成形して下端の絞り部の開口部２０３の拡縮動作を可能にしたゴム製であり、下部周囲の絞り部の開口部を上球面のボタン本体３０１−３に軽く押し付けて包み込み被覆するものである。
【００１２】  前記各カラーカバー２００−１〜２００−３は、ブラウス１００のボタン本体の形に合わせて成形し、且つブラウス１００の色彩に合わせて、単色配色で、或いはグラディーション配色で、各種単色の配列で被覆してブラウス１００の装飾に大きな役割を果たす。
【産業上の利用可能性】
【００１３】  本考案のカラーカバー付きボタンを有する衣服は、前述の優れた作用効果を呈して一般家庭では勿論、被服産業に寄与と発展に貢献すること多大なものがある。
【符号の説明】
【００１４】１００：ブラウス
１０１：前立て
２００−１〜２００−３：カラーカバー
２０１：ゴム紐
２０２：Ｖ型の切欠き
２０３：開口部
３００：ボタン（総称）
３０１：ボタン本体
３０１−１〜３０１−３：ボタン本体
【図１】
0003233825.tif 000003
【図２】
0003233825.tif 000004
【図３】
0003233825.tif 000005
0003233825.tif 000006
【手続補正書】
【提出日】令和3年5月18日(2021.5.18)
【手続補正１】
【補正対象書類名】実用新案登録請求の範囲
【補正対象項目名】全文
【補正方法】変更
【補正の内容】
【実用新案登録請求の範囲】
【請求項１】
カラーカバー付きボタンを有する衣服であって、前記カラーカバーは壺型に形成されるとともに下端の絞り部の開口部の拡縮動作が可能であり、前記ボタンの本体に前記カラーカバーが交換可能に被覆されていることを特徴とする衣服。
【手続補正２】
【補正対象書類名】明細書
【補正対象項目名】０００５
【補正方法】変更
【補正の内容】
【０００５】  上記課題を満足させる本考案における主な技術構成は、次の（１）の通りである。
（１）、カラーカバー付きボタンを有する衣服であって、前記カラーカバーは壺型に形成されるとともに下端の絞り部の開口部の拡縮動作が可能であり、前記ボタンの本体に前記カラーカバーが交換可能に被覆されていることを特徴とする衣服。
【手続補正３】
【補正対象書類名】明細書
【補正対象項目名】０００７
【補正方法】変更
【補正の内容】
【０００７】
【図１】本考案のカラーカバー付きボタンを有する衣服としてのブラウスの実施例を示す正面説明図である。
【図２】図１に示すカラーカバー付きボタン１００の矢視Ａ−Ａからの縦断面説明図である。
【図３（１）】壺型に成形し、下端の絞り部の開口部の拡縮動作を可能にしたゴム紐２０１を設けた布製又は革製カラーカバーを示す。
【図３（２）】壺型に成形し、下端の絞り部の開口部の拡縮動作を可能にしたＶ型の切り欠け２０２を形成した金属製又は、プラスチック等の合成樹脂製カバーを示す。
【図３（３）】壺型に成形して下端の絞り部の開口部の拡縮動作を可能にしたゴム製カバーを示す。
【手続補正４】
【補正対象書類名】図面
【補正対象項目名】全図
【補正方法】変更
【補正の内容】
【図１】
0003233825.tif 000007
【図２】
0003233825.tif 000008
【図３（１）】
0003233825.tif 000009
【図３（２）】
0003233825.tif 000010
【図３（３）】
0003233825.tif 000011